(57)【要約】【課題】従来の動力装置は、大きなエネルギーを必要としていたが、この問題点を解決するため、消費エネルギーが少ない省エネ動力装置を提供する。【解決手段】  中心軸上部に自在継ぎ手を設け、その上部に磁石引付用鉄芯が付いた中心軸移動盤を設ける。中心軸移動盤の左右に電磁石を設け、中心軸下部に自在継ぎ手を設ける。自在継ぎ手の軸中心付近に錘の付いた錘取付金具をほぼ直角に設ける。下部自在継ぎ手の下の中心軸に電極板を設ける。電極板の左右に電極端子を設ける。電極端子引き上げ振り子を設け、端子引き上げ用円盤を設け、端子引き上げ用円盤に電極端子を吊り下げる。電極板下部にはずみ車を設け、その下に出力用歯車を設ける。最下部に軸受けを設ける。を特徴とする省エネ動力装置である。【選択図】図２
2019132263.tif 000002
【特許請求の範囲】
【請求項１】
中心軸の上下部に自在継ぎ手を設け
上部自在継ぎ手の上に磁力用鉄芯が付いた中心軸移動盤を設け
中心軸移動盤の左右に電磁石を設け
中心軸下部自在継ぎ手の軸の中心点付近に、空気抵抗の少ない形の錘を取り付けた錘取  り付金具を中心軸にほぼ直角になるよう設け
下部自在継ぎ手の下方軸に、平行四辺形の一辺が半周となる電極板を設け
左右に電極端子引き上げ振り子を設け
電極端子引き上げ振り子の下に電極端子引き上げ用円盤を接続して設け
電極端子引き上げ用円盤の外周を滑るように電極端子吊り下げ金具を設け、その下に電  極板と接するように電極端子を設け
電極端子を保持する電極端子支持具を左右に設け
中心軸下部にはずみ車を設け
はずみ車下部に歯車を設置し、出力軸を設け
最下部に、中心軸を支持する軸受け
を設けた省エネ動力装置。
【発明の詳細な説明】
【技術分野】
【０００１】  この発明は、縦に設置した中心軸に錘を固定し、錘の引力による落下力を中心軸の回転に変換し、回転力を円滑に取り出す構造を備えた、省エネ動力装置に関するものである。
【背景技術】
【０００２】  従来の動力装置は、外部から原子力や石油、石炭、大量の水等の大きなエネルギーを動力源として活用しなければ動かすことが出来なかった。省エネルギーが叫ばれている現在、太陽光発電装置や風力発電装置が普及し始めてはいるが、他に省エネルギーの動力装置を新たに作り出せるかが問われている。
【先行技術文献】
【特許文献】
【０００３】
【特許文献１】
【発明の概要】
【発明が解決しようとする課題】
【０００４】  これは次のような欠点があった。
（イ）大出力のためには大きな水力、電力、原子力エネルギーを必要としている。
（ロ）大型動力機には原子力や大量の化石燃料が必要である。
（ハ）太陽光発電には広大な面積の土地と多数のパネルが必要である。
（ニ）自力回転機構からは動力は導き出されない。長年実験したものの、自力では継続      した運動は続かず、かつ動力として取り出すことは出来なかった。
（ホ）錘引き上げのための中心軸の移動には、大きな力が必要であった。
（ヘ）左右に揺れる回転軸から円滑な回転力を取り出すのが容易でなかった。
本発明は、以上のような欠点をなくすためになされたものである。
【課題を解決するための手段】
【０００５】  （イ）錘の引力による落下力を活用するため、錘を中心軸に錘取付金具で固定し、錘の      反対側に中心軸を傾けることにより、中心軸の回転運動を発生させる。
（ロ）中心軸上部を左右に移動させるには、中心軸移動盤に取り付けられた磁力用鉄芯      を引き付けるのみの力があれば済み、外部から導入した小電力で済む。
（ハ）中心軸の回転を起こさせるため、中心軸に固定させた錘取付金具の先に錘を取り      付け、錘の落下力を回転力に変換させる。
（ニ）中心軸下部のはずみ車との接続部分に自在継ぎ手を設ける。中心軸上部が回転し      ながら左右のみに振れるが、中心軸下部は僅かに振れながら回転する。この回転力      を円滑にはずみ車に伝達し、動力として取り出す。
（ホ）錘取付金具は、下部自在継ぎ手の中心点か、それより若干下に取り付ける。てこ      の原理で、錘を引き上げるための中心軸の移動が軽くできる。
（ヘ）中心軸を長くすると、てこの原理により更に移動が軽くできる。
（ト）錘を重くするとより早く回転する。
本発明は、以上の構成よりなる省エネ動力装置である。
【発明の効果】
【０００６】  （イ）てこの原理により中心軸の移動と錘の引き上げが軽くできることとなることから      、僅かな電力で作動させることが出来、省エネルギーで動力を得ることが出来る。
（ロ）構造が簡単であり、大小を問わない動力装置が簡単に出来る。
（ハ）連続運転可能であり、車載充電用等の発電機の動力としても活用できる。
（ニ）錘の重量を変えることにより回転力を変えることが出来る。
【図面の簡単な説明】
【０００７】
【図１】  本発明の平面図である。
【図２】  本発明の正面図である。
【図３】  本発明の側面図である。
【図４】  本発明の斜視図である。
【図５】  本発明の動作図である。
【図６】  本発明の電極板拡大図である。
【発明を実施するための形態】
【０００８】  以下、本発明を実施するための形態について説明する。
中心軸（７）上部に自在継ぎ手（８）を取り付ける。自在継ぎ手の上部に磁石引付用鉄芯（３）が付いた中心軸移動盤（２）を取り付ける。
中心軸移動盤の左右に電磁石（１）を取り付ける。
中心軸（７）下部に自在継ぎ手（８）を取り付ける。自在継ぎ手の軸中心もしくは若干下に錘の付いた錘取付金具（６）をほぼ直角に取り付ける。
下部自在継ぎ手の下の中心軸に電極板（９）を取り付ける。電極板（９）の左右に電極端子（１０）を設け電極板と接触させるように設置する。
回転数が上がるに従い、遠心力で上昇する電極端子引き上げ振り子（１４）を取り付け、端子引き上げ用円盤（１５）をつなぐ。
端子引き上げ用円盤に電極端子（１０）が吊り下げられており、円盤の上下に対応して上下に動き電極と接触する。
電極板下部にはずみ車（４）を取り付け、その下に出力軸（１２）につながる歯車を設置する。
最下部に軸受け（１３）を設置する。
本発明は、以上のような構造である。
これを使用するときは
中心軸下部の電極板に、電磁石Ｉにつながる電極端子が接触し、電流が電磁石Ｉに送られ、電磁石Ｉにより中心軸移動盤に取り付けられている磁石用鉄芯が電磁石Ｉ側に引きつけられている。
このため錘が最上部▲１▼にあるが、この位置から重力により下方に移動する際、中心軸を中心として中心軸を回転させながら時計回りに最下部▲２▼の位置まで移動する。
最下部▲２▼の位置まで錘が移動したところで、中心軸下部の電極板に、電磁石ＩＩにつながる電極端子が接触し、電流が電磁石ＩＩに流れて、速やかに磁石ＩＩで中心軸移動盤を電磁石ＩＩ側に引き付けることにより、錘が▲２▼から▲３▼の位置に移動する。
すると錘は▲４▼の位置に移動しようとする。この動作を繰り返し、回転力を継続して生みだす。
電磁石を作動させるため、中心軸下部に電極板を取り付ける。電極板は錘が▲１▼から▲２▼の直前まで移動する間、電磁石Ｉに接触端子から電流を流し続け、中心軸が錘の重さで電磁石ＩＩ側に戻らないようにする。ＩＩ側も同じくする。
回転を始めたら、中心軸を徐々に反対側に早めに移動させることにより回転数が上がるので、回転する遠心力で電極端子を徐々に引き上げるため、電極端子引き上げ振り子（１４）と端子引き上げ用円盤（１５）を設ける。僅かずつ通電が早まるように付ける。
電極板（９）は平行四辺形とし、上辺と底辺の長さは、電極取り付け軸の半周の長さとする。
【符号の説明】
【０００９】  １  電磁石
２  中心軸移動盤
３  磁石引付用鉄芯
４  はずみ車
５  錘
６  錘取付金具
７  中心軸
８  自在継ぎ手
９  電極板
１０  電極端子
１１  電極端子支持具
１２  出力軸
１３  軸受け
１４  電極端子引き上げ振り子
１５  端子引き上げ用円盤
【図１】
2019132263.tif 000003
【図２】
2019132263.tif 000004
【図３】
2019132263.tif 000005
【図４】
2019132263.tif 000006
【図５】
2019132263.tif 000007
【図６】
2019132263.tif 000008